【手続補正書】
【提出日】平成20年2月22日(2008.2.22)
【手続補正１】
【補正対象書類名】明細書
【補正対象項目名】発明の名称
【補正方法】変更
【補正の内容】
【発明の名称】携帯型無線端末、制御管理端末、無線通信システム、無線エントランスシステム、無線エントランスシステムの制御方法、無線通信方法
【手続補正２】
【補正対象書類名】明細書
【補正対象項目名】特許請求の範囲
【補正方法】変更
【補正の内容】
【特許請求の範囲】
【請求項１】  制御管理端末との間で無線通信回線を介して無線通信サービスを享受する携帯型無線端末において、
ユーザが設定した享受通信サービスモード条件を記憶するための記憶手段と、
上記制御管理端末から送られた通信制限に関する情報と、上記記憶手段に記憶されている上記享受通信サービスモード条件に基づいて、上記ユーザが設定した享受通信サービスモード条件が、上記制御管理端末が指定する通信制限の条件に許容されるか否かを判定する判定手段と、
上記判定手段の判定の結果を、上記制御管理端末に送信する送信手段とを有することを特徴とする携帯型無線端末。
【請求項２】  携帯型無線端末に対する無線通信サービスを行なうための制御管理端末において、
上記携帯型無線端末に対する通信制限に関する情報を上記携帯型無線端末に送信する送信手段と、
上記通信制限に関する情報に対する上記携帯型無線端末からの応答に応じて、上記携帯型無線端末に対する通信制限を行なう制御手段とを有することを特徴とする制御管理端末。
【請求項３】  携帯型無線端末に対して通信制限を行う制御管理端末を有する無線通信システムにおいて、
上記携帯型無線端末のユーザが設定した享受通信サービスモード条件と、上記制御管理端末が指定する通信制限の条件とに応じて、上記携帯型無線端末に対する通信制限を行なうことを特徴とする無線通信システム。
【請求項４】  非常事態が発生した場合に、上記携帯型無線端末に対する通信制限を解除する解除手段とを有することを特徴とする請求項３に記載の無線通信システム。
【請求項５】  携帯型無線端末を所有する人の進入をゲートの開け閉めにより管理する自動ゲート装置を有する無線エントランスシステムにおいて、
上記無線エントランスシステムが要求した通信制限が、上記自動ゲート装置を通過する上記携帯型無線端末に対して行われたか否かに応じて、上記自動ゲート装置のゲートを開け閉めすることを特徴とする無線エントランスシステム。
【請求項６】  上記通信制限は、上記携帯型無線端末の加入者情報に基づいて行われることを特徴とする請求項５に記載の無線エントランスシステム。
【請求項７】  上記自動ゲート装置は、データサーバと接続され、
上記データサーバは、上記自動ゲートを通過した携帯型無線端末の状態の記憶、及びプロファイル情報の記憶を自動的に行なうことを特徴とする請求項５または６に記載の無線エントランスシステム。
【請求項８】  上記データサーバは、上記自動ゲートを通過した携帯型無線端末の情報に、上記携帯型無線端末が上記自動ゲート装置を通過した時刻を併せて記憶することを特徴とする請求項７に記載の無線エントランスシステム。
【請求項９】  携帯型無線端末を所有する人の進入をゲートの開け閉めにより管理する自動ゲート装置を有する無線エントランスシステムの制御方法において、
上記無線エントランスシステムが要求した通信制限が、上記自動ゲート装置を通過する上記携帯型無線端末に対して行われたか否かに応じて、上記自動ゲート装置のゲートの開け閉めを行なうことを特徴とする無線エントランスシステムの制御方法。
【請求項１０】  制御管理端末との間で無線通信回線を介して無線通信サービスを享受する携帯型無線端末が実行する無線通信方法において、
ユーザが設定した享受通信サービスモード条件と、上記制御管理端末から送られた通信制限に関する情報とに基づいて、上記ユーザが設定した享受通信サービスモード条件が、上記制御管理端末が指定する通信制限の条件に許容されるか否かを判定する判定工程と、
上記判定工程における判定の結果を、上記制御管理端末に送信する送信工程とを携帯型無線端末が実行することを特徴とする無線通信方法。
【請求項１１】  携帯型無線端末に対して通信制限を行う制御管理端末が実行する無線通信方法において、
上記携帯型無線端末に対する通信制限に関する情報を上記携帯型無線端末に送信する送信工程と、
上記通信制限に関する情報に対する上記携帯型無線端末からの応答に応じて、上記携帯型無線端末に対する通信制限に関する制御を行なう制御工程とを行うことを特徴とする無線通信方法。
【請求項１２】  制御管理端末と携帯型無線端末とを有する無線通信システムにおける無線通信方法において、
上記携帯型無線端末のユーザが設定した享受通信サービスモード条件と、上記制御管理端末が指定する通信制限の条件とに応じて、上記携帯型無線端末に対する通信制限を行なうことを特徴とする無線通信方法。
【手続補正３】
【補正対象書類名】明細書
【補正対象項目名】０００１
【補正方法】変更
【補正の内容】
【０００１】
【発明の属する技術分野】
本発明は携帯型無線端末、制御管理端末、無線通信システム、無線エントランスシステム、無線エントランスシステムの制御方法、無線通信方法に関する。
【手続補正４】
【補正対象書類名】明細書
【補正対象項目名】００１０
【補正方法】変更
【補正の内容】
【００１０】
【課題を解決するための手段】
本発明の携帯型無線端末は、制御管理端末との間で無線通信回線を介して無線通信サービスを享受する携帯型無線端末において、ユーザが設定した享受通信サービスモード条件を記憶するための記憶手段と、上記制御管理端末から送られた通信制限に関する情報と、上記記憶手段に記憶されている上記享受通信サービスモード条件に基づいて、上記ユーザが設定した享受通信サービスモード条件が、上記制御管理端末が指定する通信制限の条件に許容されるか否かを判定する判定手段と、上記判定手段の判定の結果を、上記制御管理端末に送信する送信手段とを有することを特徴とする。
【手続補正５】
【補正対象書類名】明細書
【補正対象項目名】００１１
【補正方法】変更
【補正の内容】
【００１１】
本発明の制御管理端末は、携帯型無線端末に対する無線通信サービスを行なうための制御管理端末において、上記携帯型無線端末に対する通信制限に関する情報を上記携帯型無線端末に送信する送信手段と、上記通信制限に関する情報に対する上記携帯型無線端末からの応答に応じて、上記携帯型無線端末に対する通信制限を行なう制御手段とを有することを特徴とする。
【手続補正６】
【補正対象書類名】明細書
【補正対象項目名】００１２
【補正方法】変更
【補正の内容】
【００１２】
本発明の無線通信システムは、携帯型無線端末に対して通信制限を行う制御管理端末を有する無線通信システムにおいて、上記携帯型無線端末のユーザが設定した享受通信サービスモード条件と、上記制御管理端末が指定する通信制限の条件とに応じて、上記携帯型無線端末に対する通信制限を行なうことを特徴とする。
【手続補正７】
【補正対象書類名】明細書
【補正対象項目名】００１３
【補正方法】変更
【補正の内容】
【００１３】
本発明の無線エントランスシステムは、携帯型無線端末を所有する人の進入をゲートの開け閉めにより管理する自動ゲート装置を有する無線エントランスシステムにおいて、
上記無線エントランスシステムが要求した通信制限が、上記自動ゲート装置を通過する上記携帯型無線端末に対して行われたか否かに応じて、上記自動ゲート装置のゲートを開け閉めすることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の無線エントランスシステムの制御方法は、携帯型無線端末を所有する人の進入をゲートの開け閉めにより管理する自動ゲート装置を有する無線エントランスシステムの制御方法において、上記無線エントランスシステムが要求した通信制限が、上記自動ゲート装置を通過する上記携帯型無線端末に対して行われたか否かに応じて、上記自動ゲート装置のゲートの開け閉めを行なうことを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明の無線通信方法は、制御管理端末との間で無線通信回線を介して無線通信サービスを享受する携帯型無線端末が実行する無線通信方法において、ユーザが設定した享受通信サービスモード条件と、上記制御管理端末から送られた通信制限に関する情報とに基づいて、上記ユーザが設定した享受通信サービスモード条件が、上記制御管理端末が指定する通信制限の条件に許容されるか否かを判定する判定工程と、上記判定工程における判定の結果を、上記制御管理端末に送信する送信工程とを携帯型無線端末が実行することを特徴とする。
また、本発明の無線通信方法の他の特徴とするところは、携帯型無線端末に対して通信制限を行う制御管理端末が実行する無線通信方法において、上記携帯型無線端末に対する通信制限に関する情報を上記携帯型無線端末に送信する送信工程と、上記通信制限に関する情報に対する上記携帯型無線端末からの応答に応じて、上記携帯型無線端末に対する通信制限に関する制御を行なう制御工程とを行うことを特徴とする。
また、本発明の無線通信方法その他の特徴とするところは、制御管理端末と携帯型無線端末とを有する無線通信システムにおける無線通信方法において、上記携帯型無線端末のユーザが設定した享受通信サービスモード条件と、上記制御管理端末が指定する通信制限の条件とに応じて、上記携帯型無線端末に対する通信制限を行なうことを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】